(57)【要約】【課題】本発明の課題は、多機能化された防寒具を提供することにある。【解決手段】防寒具１は、下面１１が毛布素材である第１シート部材１０と、下面２１が毛布素材であり、第１シート部材１０の上面１２の後端部に接合する第２シート部材２０と、第１シート部材１０の下面１１の後端部に接合する複数の取手部材３０とを備える。また、第１シート部材１０の上面１２において、一対の取手部材３０の接合位置３５が、第２シート部材２０の接合位置２５よりも、後側である。また、第１シート部材１０は、端縁を一周するように設けられ、第１係止部１４および第２係止部１５を有する係止部材１３を備える。また、第１シート部材１０は、第１係止部１４と前記第２係止部１５とを係止することにより、下面１１を内側にして半分に折りたたみ可能となるように構成されている。【選択図】図１
2017031542.tif 000002
【特許請求の範囲】
【請求項１】
一方面が毛布素材である第１シート部材と、
一方面が毛布素材であり、前記第１シート部材の一方面の後端部に接合する第２シート部材と、
前記第１シート部材の一方面の後端部に接合する一対の取手部材と
を備え、
前記第１シート部材の一方面において、前記一対の取手部材の接合位置が、前記第２シート部材の接合位置よりも、後側であり、
前記第１シート部材は、端縁を一周するように設けられ、第１係止部および前記第１係止部と係止する第２係止部を有する係止部材を備え、
前記第１シート部材は、一方面を内側にして半分に折りたたんで、前記第１係止部と前記第２係止部とが係止可能なように構成されていることを特徴とする、防寒具。
【請求項２】
前記第１シート部材および前記第２シート部材は、平面視略矩形状に形成されていることを特徴とする、請求項１に記載の防寒具。
【請求項３】
前記第２シート部材の平面視面積は、前記第１シート部材の平面視面積に対して、９０％以上９９％以下であることを特徴とする、請求項１または２に記載の防寒具。
【請求項４】
前記第２シート部材の厚みは、前記第１シート部材の厚みよりも薄いことを特徴とする、請求項１〜３のいずれか一項に記載の防寒具。
【請求項５】
前記第１係止部および前記第２係止部は、線ファスナーであることを特徴とする、請求項１〜４のいずれか一項に記載の防寒具。
【請求項６】
前記第１シート部材の他方面は、プラスチック繊維から構成される素材であることを特徴とする、請求項１〜５のいずれか一項に記載の防寒具。
【請求項７】
請求項１〜６のいずれか一項の防寒具において、
前記第１係止部と前記第２係止部とを係止しないことにより、ひざ掛けとして使用し、
前記第１係止部と前記第２係止部とを一部係止して前記第１シート部材を後端縁が開放した袋状にするとともに、前記第２シート部材を前記第１シート部材の内部に収容し、前記取手部材を外部に配置することにより、かばんとして使用し、
前記第１係止部と前記第２係止部とを完全に係止して前記第１シート部材を袋状にするとともに、前記第２シート部材および前記取手部材を前記第１シート部材の内部に収容することにより、座布団として使用することを特徴とする、防寒具の使用方法。
【発明の詳細な説明】
【技術分野】
【０００１】  本発明は、防寒具およびその使用方法に関する。
【背景技術】
【０００２】  毛布などの防寒具は、寝具として室内用に使用されるだけでなく、例えば、スポーツ観戦やアウトドアなどの防寒用途として、室外に携行される場合がある。室外用の毛布は、容易に折り畳んだり巻回できる構成となっており、未使用時には、小型に収容できるようになっている。【０００３】  ところで、室外への携行時には、なるべく他の荷物を減らしたい要望があるため、毛布として体に接触させて体を寒さから防ぐ防寒機能以外の機能が追加された毛布が提案されている。例えば、特許文献１には、防寒機能以外に、クッションとしての機能を備えている。
【先行技術文献】
【特許文献】
【０００４】
【特許文献１】特開２００８−４３７１８号公報
【発明の開示】
【発明が解決しようとする課題】
【０００５】  ところで、多機能化された防寒具は、特許文献１以外の他にも様々な可能性があり、そのような他の機能を備える防寒具のニーズが存在する。【０００６】  そこで、本発明の目的は、多機能化された新しい防寒具を提供することにある。
【課題を解決するための手段】
【０００７】  本発明の防寒具は、以下の通りである。【０００８】  項１．一方面が毛布素材である第１シート部材と、一方面が毛布素材であり、前記第１シート部材の一方面の後端部に接合する第２シート部材と、前記第１シート部材の一方面の後端部に接合する一対の取手部材とを備え、前記第１シート部材の一方面において、前記一対の取手部材の接合位置が、前記第２シート部材の接合位置よりも、後側であり、前記第１シート部材は、端縁を一周するように設けられ、第１係止部および前記第１係止部と係止する第２係止部を有する係止部材を備え、前記第１シート部材は、一方面を内側にして半分に折りたたんで、前記第１係止部と前記第２係止部とが係止可能なように構成されている、防寒具。【０００９】  項２．前記第１シート部材および前記第２シート部材は、平面視略矩形状に形成されていることが好適である、上記項１に記載の防寒具。【００１０】  項３．前記第２シート部材の平面視面積は、前記第１シート部材の平面視面積に対して、９０％以上９９％以下であることが好適である、上記項１または２に記載の防寒具。【００１１】  項４．前記第２シート部材の厚みは、前記第１シート部材の厚みよりも薄いことが好適である、上記項１〜３のいずれか一項に記載の防寒具。【００１２】  項５．前記第１係止部および前記第２係止部は、線ファスナーであることが好適である、上記項１〜４のいずれか一項に記載の防寒具。【００１３】  項６．前記第１シート部材の他方面は、プラスチック繊維から構成される素材であることが好適である、上記項１〜５のいずれか一項に記載の防寒具。【００１４】  項７．上記項１〜６のいずれか一項の防寒具において、前記第１係止部と前記第２係止部とを係止しないことにより、ひざ掛けとして使用し、前記第１係止部と前記第２係止部とを一部係止して前記第１シート部材を後端縁が開放した袋状にするとともに、前記第２シート部材を前記第１シート部材の内部に収容し、前記取手部材を外部に配置することにより、かばんとして使用し、前記第１係止部と前記第２係止部とを完全に係止して前記第１シート部材を袋状にするとともに、前記第２シート部材および前記取手部材を前記第１シート部材の内部に収容することにより、座布団として使用する、防寒具の使用方法。
【発明の効果】
【００１５】  本発明の防寒具は、ひざ掛け、かばん、および、座布団の３つの機能を備える。
【図面の簡単な説明】
【００１６】
【図１】図１は、本発明の防寒具の一実施形態を上側から目視した斜視図である。
【図２】図２は、図１の防寒具を下側から目視した斜視図である。
【図３】図３は、図１の防寒具を側面から目視した側面図である。
【図４】図４は、図１の防寒具において第２シート部材を折りたたんだ際に下方から目視した斜視図である。
【図５】図５は、図１の防寒具をひざ掛けとして使用した形態を示す。
【図６】図６は、図１の防寒具をかばんとして使用した形態を示す。
【図７】図７は、図１の防寒具を座布団として使用した形態を示す。
【発明を実施するための形態】
【００１７】  １．防寒具の説明
図１〜図７を用いて、本発明の一実施形態の防寒具１を説明する。
【００１８】  防寒具１は、第１シート部材１０と、第２シート部材２０と、取手部材３０とを備える。
【００１９】  第１シート部材１０は、平面視略矩形状のシート状に形成されている。第１シート部材１０は、下面１１（一方面、下側の面）は、毛布素材から形成されており、上面１２（他方面、上側の面）は、可撓性の保護素材から形成されている。
【００２０】  毛布素材は、柔らかく暖かい感触を感じる材料であり、起毛を備えている。このような毛布素材としては、例えば、ポリエステル毛布、アクリル毛布、ウール毛布、綿毛毛布、シルク毛布などが挙げられる。また、織り毛布、タフト毛布、マイヤー毛布などのいずれの製造方法で得られた毛布であってもよい。
【００２１】  可撓性の保護素材は、かばんの外側（外皮）として使用されている材料であり、耐汚性、耐傷院などを備えるものが好ましい。このような保護素材としては、例えば、ポリエステル、ナイロン（登録商標）、ビニロン、ポリエチレンなどのプラスチック素材からなるシート；プラスチック繊維、天然繊維などの繊維から構成される織布または不織布；皮（合皮、天然皮）などが挙げられる。ひざ掛けなどの毛布として使用した際に風を通さずに防寒性をより一層高める観点、かばんとして使用した際の軽量性の観点、座布団として使用した際の感触の良さの観点から、プラスチック繊維から構成される織布または不織布が好ましい。
【００２２】  第１シート部材１０は、これらの毛布部材および保護部材を厚み方向に重ね合わせることにより構成されている。そして、第１シート部材１０は、これらの部材から構成されているため、下面１１を内側として、すなわち、左側の下面と右側の下面とが接触するように、左右に半分に折りたたみ可能となっている。
【００２３】  第１シート部材１０の端縁（外周端縁）の全縁には、係止部材１３が設けられている。すなわち、係止部材１３は、第１シート部材１０の端縁を一周するように、設けられている。
【００２４】  係止部材１３は、第１線ファスナー１４（第１係止部の一例）、第２線ファスナー１５（第２係止部の一例）およびスライダー１６から構成されている。
【００２５】  第１線ファスナー１４は、第１シート部材１０の左側半分の端縁に設けられている。すなわち、第１シート部材１０の前端縁かつ左右方向中央部を始点にして、前端縁の左半分、左端縁の全部および後端縁の左半分に設けられ、第１シート部材の後端縁かつ左右方向中央部を終点としている。
【００２６】  第２線ファスナー１５は、第１シート部材１０の右半分の端縁に設けられている。すなわち、第１シート部材１０の前端縁かつ左右方向中央部を始点にして、前端縁の右半分、右端縁の全部および後端縁の右半分に設けられ、第１シート部材の後端縁かつ左右方向中央部を終点としている。第１線ファスナー１４および第２線ファスナー１５は、第１シート部材の左右方向中央を通る中心線（図１の仮想線）を軸として、線対称となっている。すなわち、左右対称となっている。
【００２７】  スライダー１６は、第１線ファスナー１４および第２線ファスナー１５に係合しており、これらに沿って移動することにより、第１線ファスナー１４と第２線ファスナー１５とを係止させるための道具である。スライダー１６は、第１線ファスナー１４と第２線ファスナー１５とが完全に係止されていない状態の場合には、第１シート部材１０の前端縁かつ左右方向中央部において、第１線ファスナー１４および第２線ファスナー１５に係合している状態で配置されている。
【００２８】  第２シート部材２０は、平面視略矩形状のシート状に形成されている。具体的には、第２シート部材２０は、平面視において、第１シート部材１０よりもわずかに小さくなるように形成されている。
【００２９】  第２シート部材２０は、第１シート部材１０の下面の後端部（後側の端部）に接合するように設けられる。すなわち、第２シート部材２０の前端縁の全部は、第１シート部材１０の後端縁に沿って、第１シート部材１０の下面の後端部に接合されている。
【００３０】  第２シート部材２０の下面２１（一方面）は、毛布素材から形成されており、例えば、第１シート部材１０の下面１１の毛布素材と同様の素材から形成されている。
【００３１】  第２シート部材２０の上面２２（他方面）は、毛布素材から形成されており、例えば、第２シート部材２０の下面２１の毛布素材と同様の素材から形成されている。
【００３２】  第２シート部材２０の平面視面積は、第１シート部材１０の平面視面積に対して、例えば、９０％以上、好ましくは、９５％以上であり、また、例えば、９９％以下、好ましくは、９８％以下である。これにより、防寒具全体における毛布素材の面積を多くすることができ、より広い面積の防寒を達成できる。
【００３３】  第２シート部材２０は、第１シート部材１０の厚みよりも薄い。第２シート部材２０の厚みは、例えば、第１シート部材１０の厚みの１００％未満、好ましくは、９０％以下、より好ましくは、６０％以下であり、例えば、１０％以上、好ましくは、３０％以上である。これにより、第２シート部材２０を内側に収容し易くなるため、かばんや座布団の形態に容易にすることができる。また、かばんとして使用した際の容量の観点でも良好となる。
【００３４】  一対（２つ）の取手部材３０（３１、３２）は、第１シート部材１０の後端部に接合するように設けられる。より具体的には、図３に示されるように、一対の取手部材３０が第１シート部材１０と接合する接合位置３５は、第２シート部材２０が第１シート部材１０と接合する接合位置２５よりも後側にある。また、一対の取手部材３０の接合位置３５は、第２シート部材２０の接合位置２５と隣接している。
【００３５】  一方の取手部材３１は、第１シート部材１０の左側に設けられ、他方の取手部材３２は、第１シート部材１０の右側に設けられている。一方の取手部材３１および他方の取手部材３２は、左右対称となっている。これにより、後述するかばんとして使用した際に、一対の取手部材３０（３１、３２）を同時に把持することができる。
【００３６】  ２．防寒具の使用方法
防寒具１は、下面１１が毛布素材である第１シート部材１０と、下面２１が毛布素材であり、第１シート部材１０の上面１２の後端部に接合する第２シート部材２０と、第１シート部材１０の下面１１の後端部に接合する一対の取手部材３０とを備える。また、第１シート部材１０の上面１２において、一対の取手部材３０の接合位置３５が、第２シート部材２０の接合位置２５よりも、後側である。また、第１シート部材１０は、端縁を一周するように設けられ、第１係止部１４および第２係止部１５を有する係止部材１３を備える。また、第１シート部材１０は、第１係止部１４と前記第２係止部１５とを係止することにより、下面１１を内側にして半分に折りたたみ可能となるように構成されている。
【００３７】  このため、防寒具１は、３つの形態（第１形態〜第３形態）をとることができ、それぞれの形態についてそれぞれの用途を備える。
【００３８】  第１形態は、図１〜図２に示すように、第１線ファスナー１４と第２線ファスナー１５とを係止しない（閉じない）形態である。
【００３９】  第１形態の防寒具１では、第１シート部材１０の下面１１（毛布部材）と第２シート部材２０の下面２１（毛布部材）が露出しているため、図５に示すように、これらの下面を人体部（例えば、足など）に接触するように配置して、ひざ掛けとして使用することができる。
【００４０】  第２形態は、図６の左図に示すように、第１線ファスナー１４と第２線ファスナー１５とを一部係止する形態である。
【００４１】  具体的には、例えば、まず、図２の矢印が示すように、第２シート部材２０の下面２１全面を第１シート部材１０の下面１１に接触させて、防寒具１を半分に折りたたむ（図４参照）。次いで、図４の矢印が示すように、に第１シート部材１０の下面１１が内側となるように、すなわち、第２シート部材２０の上面２２の左半分と、第２シート部材２０の上面２２の右半分とが接触するように、第１シート部材１０を折りたたむ（図６参照）。次いで、図６の破線矢印が示すように、スライダー１６を移動させることにより、第１線ファスナー１４と第２線ファスナー１５とを一部係止する。すなわち、第１線ファスナー１４の前端縁部分と第２線ファスナー１５の前端縁部分とを互いに係止し、その後、第１線ファスナー１４の左端縁部分と第２線ファスナー１５の右端縁部分とを互いに係止する。このとき、第１線ファスナー１４の後端縁部分と第２線ファスナー１５の後端縁部分とは係止しない。これにより、第１シート部材１０を後端縁が開放した袋状となる。
【００４２】  第２形態の防寒具１では、第２シート部材２０が袋状の第１シート部材１０の内部に収容され、一対の取手部材３０を外部に配置されている。よって、図６の右図に示すように、かばんとして使用することができる。
【００４３】  第３形態は、図７の左図に示すように、第１線ファスナー１４と第２線ファスナー１５とを完全に係止する形態である。
【００４４】  具体的には、図６の形態から、一対の取手部材３０を袋状の内部に収容する。そして、図７の破線矢印に示すように、スライダー１６を移動させて、第１線ファスナー１４の後端縁部分と第２線ファスナー１５の後端縁部分とを互いに係止する。これにより、第１シート部材１０は、端縁の全部が係止された袋状になる。
【００４５】  第３形態の防寒具１では、その端縁の全部が完全に係止されており、また、内部に第２シート部材２０が収容されているため、厚みがある。よって、図７の右図が示すように、座布団またはクッションとして使用することができる。
【００４６】  ３．変形例
図１の実施形態では、第１シート部材１０および第２シート部材２０は、平面視略矩形状であるが、例えば、第１シート部材１０および第２シート部材２０は、平面視略円形状または平面視略円形状などとしてもよい。ひざ掛けとして使用する際の使い易さおよび防寒できる面積の観点から、平面視略矩形状が好ましい。
【符号の説明】
【００４７】１    防寒具
１０  第１シート部材
１１  下面
１２  上面
１３  係止部材
１４  第１線ファスナー
１５  第２線ファスナー
１６  スライダー
２０  第２シート部材
２１  下面
２２  上面
２５  接合位置
３０  取手部材
３１  一方の取手部材
３２  他方の取手部材
３５  接合位置
【図１】
2017031542.tif 000003
【図２】
2017031542.tif 000004
【図３】
2017031542.tif 000005
【図４】
2017031542.tif 000006
【図５】
2017031542.tif 000007
【図６】
2017031542.tif 000008
【図７】
2017031542.tif 000009